(57)【要約】【課題】バッテリ残量が低下した場合にバッテリ残量の低下を自動的に抑えることができ、利便性の高いスピーカ装置を提供する。【解決手段】音声を発生するスピーカ部と、バッテリと、前記バッテリの電力を使用して前記スピーカ部を駆動するスピーカ駆動部と、を備え、前記スピーカ駆動部は、前記バッテリの残量が所定値より低い場合に、一定の音量以下に音声出力を制限するよう前記スピーカ部を駆動するスピーカ装置としている。【選択図】図１
2014042151.tif 000002
【特許請求の範囲】
【請求項１】
音声を発生するスピーカ部と、
バッテリと、
前記バッテリの電力を使用して前記スピーカ部を駆動するスピーカ駆動部と、を備え、
前記スピーカ駆動部は、前記バッテリの残量が所定値より低い場合に、一定の音量以下に音声出力を制限するよう前記スピーカ部を駆動する、ことを特徴とするスピーカ装置。
【請求項２】
現在時刻が電力使用ピーク時間帯に属する場合は前記バッテリの充電を行わず、現在時刻が前記電力使用ピーク時間帯に属さない場合は前記バッテリの充電を行う充電回路を更に備えたことを特徴とする請求項１に記載のスピーカ装置。
【請求項３】
前記バッテリの残量が所定値より低く、且つ現在時刻が電力使用ピーク時間帯に属する場合に、前記バッテリの充電を行わない充電回路を更に備えたことを特徴とする請求項１又は請求項２に記載のスピーカ装置。
【請求項４】
現在時刻が電力使用ピーク時間帯に属する場合は前記バッテリの電力を使用し、商用電力は使用しないで前記スピーカ駆動部を駆動させ、現在時刻が前記電力使用ピーク時間帯に属さない場合は前記バッテリの電力は使用せず、商用電力を使用して前記スピーカ駆動部を駆動させる、ことを特徴とする請求項１〜請求項３のいずれか１項に記載のスピーカ装置。
【請求項５】
商用電源を供給するためのコンセントに接続可能なプラグと、
前記コンセントに接続された前記プラグから供給される商用電力を前記バッテリに充電させる充電回路と、
前記プラグが前記コンセントに接続されておらず、且つ現在時刻が電力使用ピーク時間帯に属さない場合に、前記プラグを前記コンセントに接続するよう報知する報知部と、を更に備えたことを特徴とする請求項１〜請求項４のいずれか１項に記載のスピーカ装置。
【発明の詳細な説明】
【技術分野】
【０００１】
本発明は、スピーカ装置に関する。
【背景技術】
【０００２】
最近、スマートフォンやタブレットなどの携帯型情報機器が流行し、これらに接続するバッテリ内蔵型のスピーカ装置も種々販売されている。
【０００３】
しかしながら、このようなバッテリ内蔵型のスピーカ装置では、いざ音楽などをスピーカ装置を用いて聴いていてもバッテリの残量が突然なくなり、音楽などを聴けなくなってしまう場合があった。
【０００４】
ここで、例えば特許文献１には、バッテリの残量が所定値より低下すると、残量表示部の発光体を点滅させるバッテリ内蔵型のスピーカ装置が開示されている。
【先行技術文献】
【特許文献】
【０００５】
【特許文献１】特開２００８−２７８３２８号公報（第８頁）
【発明の概要】
【発明が解決しようとする課題】
【０００６】
上記特許文献１のスピーカ装置であれば、発光体の点滅によりユーザはバッテリ残量の低下を知ることができ、ＡＣアダプタのプラグをシステム本体のＡＣアダプタ接続端子に差し込んでバッテリを充電させることが可能となる。しかしながら、バッテリ残量の低下を自動的に抑えることができるものではないため、利便性が低いという問題があった。
【０００７】
そこで、本発明は、バッテリ残量が低下した場合にバッテリ残量の低下を自動的に抑えることができ、利便性の高いスピーカ装置を提供することを目的とする。
【課題を解決するための手段】
【０００８】
上記目的を達成するために本発明のスピーカ装置は、
音声を発生するスピーカ部と、
バッテリと、
前記バッテリの電力を使用して前記スピーカ部を駆動するスピーカ駆動部と、を備え、
前記スピーカ駆動部は、前記バッテリの残量が所定値より低い場合に、一定の音量以下に音声出力を制限するよう前記スピーカ部を駆動する構成としている。
【０００９】
また、上記構成において、現在時刻が電力使用ピーク時間帯に属する場合は前記バッテリの充電を行わず、現在時刻が前記電力使用ピーク時間帯に属さない場合は前記バッテリの充電を行う充電回路を更に備えた構成としてもよい。
【００１０】
また、上記いずれかの構成において、前記バッテリの残量が所定値より低く、且つ現在時刻が電力使用ピーク時間帯に属する場合に、前記バッテリの充電を行わない充電回路を更に備えた構成としてもよい。
【００１１】
また、上記いずれかの構成において、現在時刻が電力使用ピーク時間帯に属する場合は前記バッテリの電力を使用し、商用電力は使用しないで前記スピーカ駆動部を駆動させ、現在時刻が前記電力使用ピーク時間帯に属さない場合は前記バッテリの電力は使用せず、商用電力を使用して前記スピーカ駆動部を駆動させる構成としてもよい。
【００１２】
また、上記いずれかの構成において、
商用電源を供給するためのコンセントに接続可能なプラグと、
前記コンセントに接続された前記プラグから供給される商用電力を前記バッテリに充電させる充電回路と、
前記プラグが前記コンセントに接続されておらず、且つ現在時刻が電力使用ピーク時間帯に属さない場合に、前記プラグを前記コンセントに接続するよう報知する報知部と、を更に備えた構成としてもよい。
【発明の効果】
【００１３】
本発明のスピーカ装置によると、バッテリ残量が低下した場合にバッテリ残量の低下を自動的に抑えることができ、利便性の高いものとなる。
【図面の簡単な説明】
【００１４】
【図１】本発明の一実施形態に係るスピーカ装置のブロック構成図である。
【図２】本発明の一実施形態に係るスピーカ装置の概略外観を示す図である。
【図３】本発明の一実施形態に係るスピーカ装置における電力制御に関するフローチャートである。
【図４】本発明の一実施形態に係るスピーカ装置における電力制御に関するフローチャートである。
【発明を実施するための形態】
【００１５】
以下に本発明の一実施形態について図面を参照して説明する。本発明の一実施形態に係るスピーカ装置のブロック構成を図１に示す。
【００１６】
図１に示すスピーカ装置２０は、バッテリ内蔵型のスピーカ装置であって、プラグ１、電源スイッチ２、ＡＣ／ＤＣコンバータ３、充電回路４、バッテリ５、放電回路６、スピーカ駆動部７、スピーカユニット８、制御部９、時計部１０、表示部１１、音声処理部１２、及びスイッチＳＷを備えている。
【００１７】
プラグ１は、壁面等に設けられ商用電源を供給するためのコンセントに接続可能であり、コンセントに接続された場合に商用電源（交流電力）を電源スイッチ２を介してＡＣ／ＤＣコンバータ３に供給可能である。
【００１８】
電源スイッチ２は、プラグ１からＡＣ／ＤＣコンバータ３への電力供給／遮断を切替えるハードスイッチであり、ユーザによって操作される。
【００１９】
ＡＣ／ＤＣコンバータ３は、プラグ１から供給される交流電力を所定の直流電圧の直流電力に変換し、直流電力を充電回路４に供給すると共に、スイッチＳＷを介してスピーカ駆動部７に供給もする。
【００２０】
充電回路４は、例えばＤＣ／ＤＣコンバータであり、ＡＣ／ＤＣコンバータ３から供給される直流電力をバッテリ５に充電させる回路である。充電回路４は、制御部９によって駆動制御される。
【００２１】
バッテリ５は、１本又は複数本のリチウムイオン電池等から構成される。なお、バッテリ５の電力は制御部９に電源として供給される。
【００２２】
放電回路６は、例えばＤＣ／ＤＣコンバータであり、バッテリ５に蓄電された直流電力を放電させてスピーカ駆動部７に供給させる回路である。放電回路６は、制御部９によって駆動制御される。
【００２３】
なお、充電回路と放電回路は図１のように別体ではなく、充放電回路として一体として構成してもよい。
【００２４】
スイッチＳＷは、ＡＣ／ＤＣコンバータ３からスピーカ駆動部７への直流電力の供給／遮断を切替えるスイッチであり、制御部９によってオンオフを制御される。
【００２５】
音声処理部１２は、例えばスマートフォンやタブレットである外部機器２５から無線通信（bluetooth、WiFi等）又は有線通信によって音声信号を受信し、受信した音声信号に対して復調、デコード等の各処理を実施し、処理後の音声信号をスピーカ駆動部７へ送る。
【００２６】
音声処理部１２は、例えばＡＡＣ、ＡＣ３、ＭＰ３等の各圧縮方式に対応した各デコーダを有し、音声の圧縮方式を示す信号を外部機器２５から受けた音声信号から抽出して制御部９へ送る。この場合、制御部９によって上記いずれのデコーダを使用するかを選択される。
【００２７】
スピーカ駆動部７は、音声処理部１２からの音声信号を電力増幅し、スピーカユニット８を駆動する。スピーカユニット８は、駆動されることにより音声を発生する。
【００２８】
制御部９は、スピーカ装置２０の各部を制御する演算処理装置であり、例えばマイコン等で構成される。
【００２９】
時計部１０は、時刻を計時するタイマである。表示部１１は、各種情報を表示するものであり、例えばバックライトと液晶パネルを用いた液晶ディスプレイでもよいし、ＬＥＤ等を用いたセグメントディスプレイでもよいし、単に色の異なるＬＥＤを配列したものでもよい。
【００３０】
また、本発明の一実施形態に係るスピーカ装置２０の概略外観を図２に示す。図２に示すように、スピーカ装置２０は、筐体であるエンクロージャー２０１を備えている。エンクロージャー２０１内部には、図１に示した各回路部やバッテリ５が内蔵されている。プラグ１は、図２に示すように、エンクロージャー２０１から外部へ引き出されたケーブルに接続される。
【００３１】
エンクロージャー２０１の前面には左右のスピーカユニット８が取り付けられる。そして、エンクロージャー２０１内部には共振用のダクト（不図示）が設けられ、エンクロージャー２０１の側面にダクトの出口孔２０２が開口している。これにより、低域を強調した音声を発生できる所謂バスレフ型スピーカ装置が構成されている。なお、本発明の実施形態は、特にバスレフ型に限定されることはない。
【００３２】
次に、このような構成であるスピーカ装置２０における電力制御について図３、及び図４のフローチャートを用いて説明する。
【００３３】
なお、図３及び図４に示す処理は、例えば定期的に繰り返し行われる。また、電源スイッチ２はオンになっているものとする。
【００３４】
まずステップＳ１（図３）で、制御部９は、ＡＣ／ＤＣコンバータ３の出力電圧に基づき、プラグ１がコンセントに接続されているか否かを判定し、接続されている場合は（ステップＳ１のＹ）、ステップＳ２に進む。
【００３５】
ステップＳ２で、制御部９は、バッテリ５の残量が所定値以上であるか否かを判定する。バッテリ５の残量は、例えば、バッテリ５の充放電電流を積算することで検出することができる。また、上記所定値は、例えば５０％とすればよい。
【００３６】
もしバッテリ５の残量が所定値以上である場合は（ステップＳ２のＹ）、ステップＳ３に進む。ステップＳ３で、制御部９は、時計部１０により計時された現在時刻が電力使用ピーク時間帯（例えば午前７時から午後１１まで等）に属するか否かを判定する。
【００３７】
もし現在時刻が電力使用ピーク時間帯に属する場合は（ステップＳ３のＹ）、ステップＳ５に進み、制御部９は、放電回路６の駆動をオンとし、充電回路４の駆動をオフとすると共に、スイッチＳＷをオフとする。
【００３８】
これにより、音声信号がスピーカ駆動部７に入力されて増幅されるスピーカ装置２０の使用時に、バッテリ５に蓄電された電力がスピーカ駆動部７に供給されて使用される。このとき、プラグ１、ＡＣ／ＤＣコンバータ３、及びスイッチＳＷを介した電力供給は使用されず、バッテリ５への充電もされないので、電力料金単価の高い電力使用ピーク時間帯において、電力料金を抑制できる。なお、音声信号がスピーカ駆動部７に入力されないスピーカ装置２０の不使用時は、バッテリ５の電力はほぼ使用されない。
【００３９】
一方、現在時刻が電力使用ピーク時間帯に属さない場合は（ステップＳ３のＮ）、ステップＳ４に進み、制御部９は、放電回路６の駆動をオフとし、充電回路４の駆動をオンとすると共に、スイッチＳＷをオンとする。
【００４０】
これにより、スピーカ装置２０の使用時に、プラグ１、ＡＣ／ＤＣコンバータ３、及びスイッチＳＷを介してスピーカ駆動部７に電力が供給されて使用されると共に、余剰電力が充電回路４に供給されてバッテリ５の充電に使用される。電力料金単価の低い電力使用ピーク時間帯以外の時間帯であるので、電力料金は抑えることができる。なお、スピーカ装置２０の不使用時は、充電回路４へ多くの電力が供給されるので、バッテリ５は急速に充電される。
【００４１】
また、上記ステップＳ２で、バッテリ５の残量が所定値より低い場合は（ステップＳ２のＮ）、ステップＳ６に進み、制御部９は、時計部１０により計時された現在時刻が電力使用ピーク時間帯に属するか否かを判定する。
【００４２】
もし現在時刻が電力使用ピーク時間帯に属する場合は（ステップＳ６のＹ）、ステップＳ７に進み、制御部９は、放電回路６の駆動をオンとし、充電回路４の駆動をオフとすると共に、スイッチＳＷをオフとする。更にこのとき、制御部９の指令により、スピーカ駆動部７は、或る一定の音量以下に音声出力を制限するようスピーカユニット８を駆動する。
【００４３】
これにより、電力料金単価が高い電力使用ピーク時間帯において、ＡＣ／ＤＣコンバータ３及びスイッチＳＷを介した電力供給を行わず、バッテリ５の充電も行わないので電力料金を抑えることができる。そして、スピーカ装置２０の使用時は、バッテリ５の残量が低い状態でバッテリ５の電力が使用されることとなる。しかしながら、上記のようにスピーカ駆動部７は、或る一定の音量以下に音声出力を制限するようスピーカユニット８を駆動するので、電力の使用を抑えることができ、バッテリ５の残量の低下を自動的に抑えることができる。なお、スピーカ装置２０の不使用時は、バッテリ５の電力はほぼ使用されない。
【００４４】
なお、スピーカ装置２０の使用時にバッテリ５の残量がなくなった場合は、その後にスイッチＳＷを制御部９によりオンとしてスピーカ装置２０の使用を継続させてもよいし、そのままスピーカ装置２０を不使用とすることとしてもよい。
【００４５】
また、ステップＳ７において、バッテリ５の残量が低いということにより、制御部９は、充電回路４の駆動をオンとするようにして、バッテリ５を充電してもよい。
【００４６】
一方、現在時刻が電力使用ピーク時間帯に属さない場合は（ステップＳ６のＮ）、ステップＳ８に進み、制御部９は、放電回路６の駆動をオフとし、充電回路４の駆動をオンとすると共に、スイッチＳＷをオンとする。
【００４７】
これにより、上記ステップＳ４で述べた作用効果と同様の作用効果を奏する。
【００４８】
また、上記ステップＳ１で、プラグ１がコンセントに接続されていない場合は（ステップＳ１のＮ）、ステップＳ９（図４）に進む。ステップＳ９で、制御部９は、バッテリ５の残量が所定値以上であるか否かを判定する。当該所定値は、例えば５０％とすればよい。
【００４９】
もしバッテリ５の残量が所定値以上である場合は（ステップＳ９のＹ）、ステップＳ１０に進む。ステップＳ１０で、制御部９は、時計部１０により計時された現在時刻が電力使用ピーク時間帯に属するか否かを判定する。
【００５０】
もし現在時刻が電力使用ピーク時間帯に属する場合は（ステップＳ１０のＹ）、ステップＳ１２に進み、制御部９は、放電回路６の駆動をオンとし、充電回路４の駆動をオフとすると共に、スイッチＳＷをオフとする。これにより、スピーカ装置２０の使用時に、バッテリ５の電力が使用される。なお、プラグ１がコンセントに接続されていないので、ＡＣ／ＤＣコンバータ３及びスイッチＳＷを介した電力供給、及びバッテリ５の充電は行われない。
【００５１】
一方、現在時刻が電力使用ピーク時間帯に属さない場合は（ステップＳ１０のＮ）、ステップＳ１１に進み、ステップＳ１２と同様に、制御部９は、放電回路６の駆動をオンとし、充電回路４の駆動をオフとすると共に、スイッチＳＷをオフとする。更にここでは、制御部９は、プラグ１をコンセントに接続するようユーザに報知すべく表示部１１に表示を行わせる。
【００５２】
これにより、表示部１１の表示を見たユーザがプラグ１をコンセントに接続すれば、上述したステップＳ１、Ｓ２、Ｓ３、及びＳ４の順の処理によって、バッテリ５を充電でき、電力料金単価の低い電力使用ピーク時間帯以外の時間帯であるので電力料金を抑えることもできる。
【００５３】
また、上記ステップＳ９で、バッテリ５の残量が所定値より低い場合は（ステップＳ９のＮ）、ステップＳ１３に進み、制御部９は、時計部１０により計時された現在時刻が電力使用ピーク時間帯に属するか否かを判定する。
【００５４】
もし現在時刻が電力使用ピーク時間帯に属する場合は（ステップＳ１３のＹ）、ステップＳ１４に進み、制御部９は、放電回路６の駆動をオンとし、充電回路４の駆動をオフとすると共に、スイッチＳＷをオフとする。更にこのとき、制御部９の指令により、スピーカ駆動部７は、或る一定の音量以下に音声出力を制限するようスピーカユニット８を駆動する。
【００５５】
これにより、スピーカ装置２０の使用時は、バッテリ５の残量が低い状態でバッテリ５の電力が使用されることとなる。しかしながら、上記のようにスピーカ駆動部７は、或る一定の音量以下に音声出力を制限するようスピーカユニット８を駆動するので、電力の使用を抑えることができ、バッテリ５の残量の低下を自動的に抑えることができる。なお、バッテリ５の残量がなくなった場合は、プラグ１がコンセントに接続されていないので、スピーカ装置２０は不使用となる。
【００５６】
一方、現在時刻が電力使用ピーク時間帯に属さない場合は（ステップＳ１３のＮ）、ステップＳ１５に進み、ステップＳ１４と同様に、制御部９は、放電回路６の駆動をオンとし、充電回路４の駆動をオフとすると共に、スイッチＳＷをオフとし、音量制限も行う。更にここでは、制御部９は、プラグ１をコンセントに接続するようユーザに報知すべく表示部１１に表示を行わせる。
【００５７】
これにより、表示部１１の表示を見たユーザがプラグ１をコンセントに接続すれば、上述したステップＳ１、Ｓ２、Ｓ６、及びＳ８の順の処理によって、バッテリ５を充電でき、電力料金単価の低い電力使用ピーク時間帯以外の時間帯であるので電力料金を抑えることもできる。
【００５８】
以上、本発明の実施形態について説明したが、本発明の趣旨の範囲内であれば、実施形態は種々変形が可能である。
【符号の説明】
【００５９】
１  プラグ
２  電源スイッチ
３  ＡＣ／ＤＣコンバータ
４  充電回路
５  バッテリ
６  放電回路
７  スピーカ駆動部
８  スピーカユニット
９  制御部
１０  時計部
１１  表示部
１２  音声処理部
ＳＷ  スイッチ
２０  スピーカ装置
２５  外部機器
２０１  エンクロージャー
２０２  出口孔
【図１】
2014042151.tif 000003
【図２】
2014042151.tif 000004
【図３】
2014042151.tif 000005
【図４】
2014042151.tif 000006